(57)【要約】【課題】故障表示回路と鎖錠制御回路を、部品点数を削減して一体構成する。【解決手段】電力機器を保護対象とする保護リレーの接点１１で付勢される電流リレー１と、自己保持用接点Ｙ１と、故障表示用接点Ｙ２および開閉機器の投入を鎖錠する鎖錠制御用接点Ｙ３を有し、電流リレーの動作によって付勢されて自己保持する自己保持リレー２と、押しボタンと常閉接点および該接点が「閉」の状態で点灯する表示灯を有し、電流リレーが消勢状態にあることを条件に、押しボタンの操作で自己保持リレーの自己保持を解除させる照光式押ボタンスイッチ３と、低電圧の表示電源を電源とし、自己保持リレーの故障表示用接点「閉」によって通電され、点灯によって故障を表示する故障表示灯４とを備える。【選択図】  図１
2005253248.tif 000002
【特許請求の範囲】
【請求項１】
受配電盤を介して電力供給する電力機器の故障表示と開閉機器の鎖錠制御を行う故障表示・鎖錠制御回路であって、
前記電力機器を保護対象とする保護リレーの保護出力で付勢される電流リレーと、
自己保持用接点と、故障表示用接点および開閉機器の投入を鎖錠する鎖錠制御用接点を有し、前記電流リレーの動作によって付勢されて自己保持する自己保持リレーと、
押しボタンと常閉接点および該接点が「閉」の状態で点灯する表示灯を有し、前記電流リレーが消勢状態にあることを条件に、押しボタンの操作で前記自己保持リレーの自己保持を解除させる照光式押ボタンスイッチと、
低電圧の表示電源を電源とし、前記自己保持リレーの故障表示用接点「閉」によって通電され、点灯によって故障を表示する故障表示灯とを備えたことを特徴とする受配電盤の故障表示・鎖錠制御回路。
【発明の詳細な説明】
【技術分野】
【０００１】
本発明は、受配電盤を介して電力供給する電力機器における故障表示と開閉機器の鎖錠制御を行う故障表示・鎖錠制御回路に関する。
【背景技術】
【０００２】
受配電盤は、受電、配電電源や電力設備に電圧低下や地絡、短絡などの故障が発生した場合に保護リレーの検出出力で電源の遮断器などの開閉機器をトリップさせると共に、盤面に設けた表示灯で故障表示を行う故障表示回路を設けている。さらには、故障表示にはブザーによる警報出力回路を設けたものもある。
【０００３】
また、受配電盤は、故障発生時に、監視員等によるブザー停止釦の操作でブザーを停止させ、故障発生原因が除去された後の故障復帰には、故障表示回路では故障復帰釦の操作で故障表示灯を消灯または故障無しを示す正常灯を点灯させる回路構成にされる。また、鎖錠釦の操作で開閉機器を復帰投入（鎖錠）する鎖錠制御回路を設けている。
【０００４】
故障表示回路は、電流形もしくは電圧形の機械式の落下式故障表示器やＬＥＤ表示灯と、リレーシーケンスとを組み合わせた構成としている。落下式故障表示器は、その動作で表示部前面の表示窓内に表示板が機械的に落下することによって故障表示する。
【０００５】
図３の（ａ）は、落下式故障表示器による故障表示回路を示す（例えば、特許文献１参照）。故障検出する保護リレーの出力接点に、落下式故障表示器と遮断器トリップコイルを直列接続し、保護リレー接点のオンで故障表示器で故障表示すると共に遮断器をトリップさせる。故障が除去された後の表示復帰は、故障表示器本体のスイッチ操作で行うことができる。
【０００６】
図３の（ｂ）は、表示灯による故障表示回路を示す（例えば、特許文献２参照）。遮断器トリップコイルには電流リレーを直列接続し、故障検出で遮断器トリップと共に電流リレーを動作させ、電流リレーの動作接点５１Ｘにより補助リレーを付勢し、補助リレーはその動作接点５１Ｙで自己保持すると共に表示灯を点灯させる。故障が除去された後の表示復帰は、ボタンスイッチの操作で補助リレー５１Ｙの自己保持を復帰させ、表示灯の接点を復帰させて消灯させる。
【０００７】
なお、特許文献２では、故障表示回路の故障復帰で別の表示灯を点灯させるため、動作コイルと復帰コイルをもつキープリレーを設けている。
【特許文献１】特開平８−１８２０７０号公報
【特許文献２】特開平９−７０８０号公報
【発明の開示】
【発明が解決しようとする課題】
【０００８】
前記のように、受配電盤は、上記のような故障表示回路と、開閉機器を復帰投入（鎖錠）させる鎖錠制御回路がそれぞれ別途に設けられるが、それぞれは多くの回路部品とその設置工数を必要とし、また盤内設置スペースも大きくするため、回路の簡略化が要望されている。
【０００９】
本発明の目的は、故障表示回路と鎖錠制御回路を、部品点数を削減して一体構成することができる受配電盤の故障表示・鎖錠制御回路を提供することにある。
【課題を解決するための手段】
【００１０】
本発明は、前記の課題を解決するため、故障発生と遮断器の鎖錠制御が関連することに着目し、自己保持リレーの接点構成として、故障表示用接点に加えて鎖錠制御用接点を設けたもので、以下の構成を特徴とする。
【００１１】
（１）受配電盤を介して電力供給する電力機器の故障表示と開閉機器の鎖錠制御を行う故障表示・鎖錠制御回路であって、
前記電力機器を保護対象とする保護リレーの保護出力で付勢される電流リレーと、
自己保持用接点と、故障表示用接点および開閉機器の投入を鎖錠する鎖錠制御用接点を有し、前記電流リレーの動作によって付勢されて自己保持する自己保持リレーと、
押しボタンと常閉接点および該接点が「閉」の状態で点灯する表示灯を有し、前記電流リレーが消勢状態にあることを条件に、押しボタンの操作で前記自己保持リレーの自己保持を解除させる照光式押ボタンスイッチと、
低電圧の表示電源を電源とし、前記自己保持リレーの故障表示用接点「閉」によって通電され、点灯によって故障を表示する故障表示灯とを備えたことを特徴とする。
【発明の効果】
【００１２】
以上のとおり、本発明によれば、保護リレーの接点出力で付勢される電流リレーの動作で自己保持する自己保持リレーの接点構成として、故障表示用接点に加えて鎖錠制御用接点を設けたため、故障表示回路と鎖錠制御回路を、部品点数を削減して一体構成することができる。
【００１３】
これに伴い、故障表示回路と開閉機器の鎖錠制御回路の設置工数を削減でき、さらに盤内設置スペースも削減できる。
【００１４】
さらに、故障表示灯は、低電圧の表示電源を電源とすることで、比較的高い電圧の制御電源から降圧用の抵抗器等が不要になる。
【発明を実施するための最良の形態】
【００１５】
図１は、本発明の実施形態を示す故障表示・鎖錠制御回路図であり、この回路のうち、破線ブロック部分が故障表示・鎖錠制御回路になる。
【００１６】
電流リレー（Ｘ）１は、保護リレーの保護出力によるＶＣＢによる遮断器１０の「切」制御を検出する。すなわち、保護リレー接点１１のオン動作による遮断器１０のＯＰコイル（「開放」コイル）の付勢で動作し、１つのａ接点Ｘを閉じる。
【００１７】
自己保持リレー（Ｙ）２は、電流リレー１の動作によって付勢され、自己保持動作する。この自己保持リレー２は、２つのａ接点Ｙ１，Ｙ２と１つのｂ接点Ｙ３をもち、ａ接点Ｙ１は自己保持用、ｂ接点Ｙ３は遮断器１０の鎖錠制御用にされる。
【００１８】
照光式押ボタンスイッチ３は、図２に正面図と側面図で示すように、押しボタンと常閉接点および該接点が「閉」の状態で点灯する表示灯を有し、電流リレー１が消勢されてその接点Ｘが「開」にあることを条件に、その押しボタンの操作で常閉接点が「開」にされることで、自己保持リレー２の自己保持用ａ接点Ｙ１の回路を「切」にして自己保持を解除させる。この押ボタンスイッチ３は、表示灯の点灯では、自己保持リレー２が自己保持状態にあることを表示する。
【００１９】
故障表示灯４は、低電圧の表示電源を電源とし、自己保持リレー２のａ接点Ｙ２の「閉」によって通電され、点灯によって故障を表示する。
【００２０】
遮断器１０の「入」用操作スイッチ１２は、自己保持リレー２のｂ接点Ｙ３を介して遮断器１０の投入コイルへの通電回路を形成する。遮断器１０の「切」用操作スイッチ１３は、そのオン操作で遮断器１０の開放コイルへの通電回路を形成する。
【００２１】
以上の構成において、保護リレー接点１１の「閉」または操作スイッチ１３の「閉」によって遮断器１０の遮断制御がなされる。この保護リレー接点１１の「閉」では電流リレー１が動作し、ａ接点の「閉」で自己保持リレー２が自己保持動作し、ａ接点Ｙ２の「閉」で故障表示灯４を点灯させると共に、ｂ接点Ｙ３の「開」で操作スイッチ１２による遮断器１０の投入抑止（鎖錠）する。
【００２２】
この状態では、照光式押ボタンスイッチ３は点灯しており、その操作で自己保持リレー２の自己保持を解除したとき、故障表示灯４の消灯と、遮断器１０の鎖錠を解除する。
【００２３】
したがって、本実施形態によれば、故障表示と遮断器の鎖錠および表示復帰と鎖錠解除を、部品点数を削減した一体構成とすることができる。すなわち、回路部品としては、電流リレー１と自己保持リレー２と照光式押ボタンスイッチ３および故障表示灯４のみで済み、従来構成の故障表示回路と同等の回路部品で鎖錠制御機能ももつ構成とすることができる。
【００２４】
なお、実施形態での故障表示灯は、故障有りと故障無しの表示灯を切替点灯で表示する場合には、自己保持リレー２のａ，ｂ接点でその表示切替えを行う構成とすることができる。
【００２５】
また、鎖錠制御対象機器は、ＶＣＢ型の遮断器に限らず、他の遮断器、さらには断路器など他の開閉機器に適用して同等の作用効果を得ることができる。
【図面の簡単な説明】
【００２６】
【図１】本発明の実施形態を示す故障表示・鎖錠制御回路図。
【図２】実施形態における照光式押ボタンスイッチの正面図と側面図。
【図３】従来の故障表示回路図。
【符号の説明】
【００２７】
１  電流リレー
２  自己保持リレー
３  照光式押ボタンスイッチ
４  故障表示灯
１０  遮断器
１１  保護リレー接点
１２  遮断器の「入」用操作スイッチ
１３  遮断器の「切」用操作スイッチ
【図１】
2005253248.tif 000003
【図２】
2005253248.tif 000004
【図３】
2005253248.tif 000005